(57)【要約】【課題】  二次燃焼室での加熱効率を向上させ、燃焼効率の向上を図る。【解決手段】  薪投入口２０から投入された薪Ｗを燃焼させる一次燃焼室Ｒ１を構成する本体１と、一次燃焼室Ｒ１内に設けられ一次燃焼室Ｒ１から流入口３０を通って流入する燃焼ガスを燃焼させる二次燃焼室Ｒ２を構成する二次室体１０と、本体１に設けられ二次燃焼室Ｒ２からの排ガスを排気する煙突１８と、二次室体１０の流入口３０に設けられ一次燃焼室Ｒ１から二次燃焼室Ｒ２に流入する燃焼ガスが通過する多数の小孔を有した燃焼促進板３１とを備え、二次室体１０を、下部壁１２，両側部壁１３及び上部壁１４からなる筒状の周壁１１を有した金属板で形成し、二次室体１０の周壁１１を一次燃焼室Ｒ１内に露出形成した。また、本体１の内面と二次室体１０の周壁１１の外面との間の空間を、薪Ｗを収容可能な大きさに形成した。【選択図】図２
2014238246.tif 000002
【特許請求の範囲】
【請求項１】
薪を投入する開閉可能な薪投入口を有するとともに外気を導入する空気口を有し上記薪投入口から投入された薪を燃焼させる一次燃焼室を構成する本体と、該一次燃焼室内に設けられ該一次燃焼室から流入口を通って流入する燃焼ガスを燃焼させる二次燃焼室を構成する二次室体と、上記二次燃焼室からの排ガスを排気する煙突と、上記二次室体の流入口に設けられ一次燃焼室から二次燃焼室に流入する燃焼ガスが通過する多数の小孔を有した燃焼促進板とを備えた薪ストーブにおいて、
上記二次室体を、下部壁，両側部壁及び上部壁からなる筒状の周壁を有した金属板で形成し、該二次室体の周壁のうち少なくとも下部壁及び両側部壁を上記一次燃焼室内に露出形成したことを特徴とする薪ストーブ。
【請求項２】
上記二次室体の下部壁，両側部壁及び上部壁からなる周壁の全部を上記一次燃焼室内に露出形成したことを特徴とする請求項１記載の薪ストーブ。
【請求項３】
上記本体の内面と上記二次室体の周壁の外面との間の空間を、薪を収容可能な大きさに形成し、上記本体の薪投入口を上記二次室体より上側に設け、上記本体の空気口を上記二次室体より下側に設けたことを特徴とする請求項２記載の薪ストーブ。
【請求項４】
上記本体を、底壁，両側壁，天壁，前壁及び後壁を備えて中空状に形成し、上記二次室体を、その軸線が上記本体の前後方向に沿うように上記一次燃焼室内に設けたことを特徴とする請求項３記載の薪ストーブ。
【請求項５】
上記二次室体の上部壁に、軸方向に沿う稜線を有し該稜線から両側部壁に夫々向けて傾斜する横断面山形の傾斜板を設けたことを特徴とする請求項４記載の薪ストーブ。
【請求項６】
上記二次室体を、上記本体の前壁及び後壁間に架設したことを特徴とする請求項４または５記載の薪ストーブ。
【請求項７】
上記二次室体の下部壁に流入口を形成したことを特徴とする請求項１乃至６何れかに記載の薪ストーブ。
【請求項８】
上記燃焼促進板に、炭素繊維を載置したことを特徴とする請求項７記載の薪ストーブ。
【請求項９】
上記二次室体の流入口に、上記燃焼促進板を含んで構成され上記炭素繊維を保持する容器状の炭素繊維保持部を設けたことを特徴とする請求項８記載の薪ストーブ。
【発明の詳細な説明】
【技術分野】
【０００１】
本発明は、丸太，これを縦割りした木，建物の廃木材，木製の瓦礫等の薪を燃料とすることのできる薪ストーブに係り、特に、一次燃焼室と二次燃焼室を有しこの一次燃焼室と二次燃焼室との間に燃焼促進板を備えた薪ストーブに関する。
【背景技術】
【０００２】
従来、この種の薪ストーブとして、例えば、特開昭６１−１４３６０８号公報（特許文献１）に掲載されたものが知られている。
図１４に示すように、この薪ストーブＳａは、薪を投入する開閉可能な薪投入口１０１を有し薪投入口１０１から投入された薪を燃焼させる一次燃焼室Ｒ１を構成する本体１００と、一次燃焼室Ｒ１内の上側に設けられ一次燃焼室Ｒ１から流入口１１１を通って流入する燃焼ガスを燃焼させる二次燃焼室Ｒ２を構成する二次室体１１０とを備えている。本体１００は、金属板で形成され、底壁１０２，両側壁１０３，天壁１０４，前壁１０５及び後壁１０６を備えて中空状に形成されている。二次室体１１０は、金属板で形成され、天壁１０４に対峙する下部壁１１２，両側壁１０３で形成される両側部壁１１３，天壁１０４で形成される上部壁１１４，後壁１０６で構成される後端部壁１１６を備えている。また、二次室体１１０の前側は開口して流入口１１１を構成しており、この流入口１１１には、一次燃焼室Ｒ１から二次燃焼室Ｒ２に流入する燃焼ガスが通過する多数の小孔を有した燃焼促進板１２０が設けられている。更に、燃焼促進板１２０の内側には、通気性の触媒部材１２１が設けられている。更にまた、本体１００の天壁１０４には、二次燃焼室Ｒ２からの排ガスを排気する煙突１２２が設けられている。
【０００３】
また、本体１００内には、外気を導入する２つの外気導入管１２３，１２４が設けられている。一方の外気導入管１２３は、全体がコ字状に形成されて本体１００の底壁１０２に立設されており、底壁１０２に外気導入空気口１２３ａを有し、上部の横管１２５に薪投入口１０１側に開口する複数の外気導出空気口１２６を備えて構成されている。他方の外気導入管１２４は、全体がコ字状に形成されており、二次室体Ｒ２の下部壁１１２の下側に沿って設けられており、後壁１０６に外気導入空気口１２４ａを有し、流入口１１１に沿う横管１２７に複数の外気導出空気口１２４ｂを備えて構成されている。
【０００４】
そして、この薪ストーブＳａにより、薪を燃焼させるときは、薪投入口１０１から薪を一次燃焼室Ｒ１に投入して着火する。一次燃焼室１０１で薪が燃焼すると、燃焼の拡大に伴って、二次室体Ｒ２の下部壁１１２が加熱されて二次燃焼室Ｒ２内が高温になり、燃焼ガスが二次燃焼室Ｒ２に至って更に燃焼が進み、煙突１２２から排気されていく。この場合、燃焼促進板１２０及び触媒部材１２１が赤熱し、燃焼ガスがこれに接触することから、燃焼が促進される。
【先行技術文献】
【特許文献】
【０００５】
【特許文献１】特開昭６１−１４３６０８号公報
【発明の概要】
【発明が解決しようとする課題】
【０００６】
ところで、上記従来の薪ストーブＳａにあっては、二次室体Ｒ２の下部壁１１２が加熱されて二次燃焼室Ｒ２内を高温にしているが、下壁部１１２の下面からだけの加熱になるので、必ずしも、加熱効率に優れるとはいえないという問題があった。
本発明は、このような問題点に鑑みてなされたもので、二次燃焼室での加熱効率を向上させ、燃焼効率の向上を図った薪ストーブを提供することを目的とする。
【課題を解決するための手段】
【０００７】
このような目的を達成するため、本発明の薪ストーブは、薪を投入する開閉可能な薪投入口を有するとともに外気を導入する空気口を有し上記薪投入口から投入された薪を燃焼させる一次燃焼室を構成する本体と、該一次燃焼室内に設けられ該一次燃焼室から流入口を通って流入する燃焼ガスを燃焼させる二次燃焼室を構成する二次室体と、上記二次燃焼室からの排ガスを排気する煙突と、上記二次室体の流入口に設けられ一次燃焼室から二次燃焼室に流入する燃焼ガスが通過する多数の小孔を有した燃焼促進板とを備えた薪ストーブにおいて、
上記二次室体を、下部壁，両側部壁及び上部壁からなる筒状の周壁を有した金属板で形成し、該二次室体の周壁のうち少なくとも下部壁及び両側部壁を上記一次燃焼室内に露出形成した構成としている。
【０００８】
これにより、薪を燃焼させるときは、薪投入口から薪を一次燃焼室に投入して着火する。空気口からは一次燃焼室に燃焼空気が供給されるので、一次燃焼室で薪が燃焼していき、燃焼の拡大に伴って、二次室体が加熱されて二次燃焼室内が高温になり、燃焼ガスが二次燃焼室に至って更に燃焼が進み、煙突から排気されていく。この場合、二次室体は、筒状に形成され、その周壁のうち少なくとも下部壁及び両側部壁が一次燃焼室内に露出形成されているので、下部壁のみならず両側部壁が加熱されることから、従来に比較して、二次燃焼室での加熱効率が向上させられ、燃焼効率が向上させられる。また、この場合、
燃焼促進板が赤熱し、燃焼ガスがこれに接触することから、燃焼が促進される。
【０００９】
そして、必要に応じ、上記二次室体の下部壁，両側部壁及び上部壁からなる周壁の全部を上記一次燃焼室内に露出形成した構成としている。これにより、上部壁も一次燃焼室に露出して加熱されることから、より一層二次燃焼室での加熱効率が向上させられ、燃焼効率が向上させられる。
【００１０】
この場合、必要に応じ、上記本体の内面と上記二次室体の周壁の外面との間の空間を、薪を収容可能な大きさに形成し、上記本体の薪投入口を上記二次室体より上側に設け、上記本体の空気口を上記二次室体より下側に設けたことが有効である。
これにより、薪投入口から薪を投入して、一次燃焼室を満杯にすると、薪は、二次室体の下部，両側部及び上部に収容される。薪は二次室体の下部のみならず、二次室体の両側部及び上部にも収容されるので、それだけ、薪を余分に収納しておくことができ、薪の収容率が極めて良くなる。また、本体の空気口が二次室体より下側に設けられているので、薪は主に二次室体の下部で燃焼させられ、燃焼が進むと、二次室体の両側部にある薪及び上部にある薪が徐々に両側部の空間を通過して、下がっていく。そして、薪が二次室体の両側部にまで下がったころに薪を補給する。この場合、従来のストーブでは、新しい薪を投入すると新しい薪は燃焼中の薪の上に載せられることから、一時的に、燃焼が収まるようになり、燃焼が不安定になるが、本発明の構成では、両側にある薪よりも上の方に新しい薪が入れられることになることから、二次室体より下で燃えている薪の燃焼に影響を与えることがなく、燃焼を安定させて行わせることができるようになる。更に、一次燃焼室での燃焼ガスは、二次室体の上部にも至ることから、ここにある薪が加温させられることになり、これが下降して燃焼するようになると、加温された分燃焼され易くなり、この点でも燃焼効率が向上させられる。
【００１１】
また、必要に応じ、上記本体を、底壁，両側壁，天壁，前壁及び後壁を備えて中空状に形成し、上記二次室体を、その軸線が上記本体の前後方向に沿うように上記一次燃焼室内に設けた構成としている。二次室体の軸方向と薪の長手方向とが平行になるように薪を一方向に整列させて積み重ねて収納できるので、薪の燃焼とともに薪を下方に移動させ易くなり、それだけ、薪の燃焼を安定化することができる。
【００１２】
更に、必要に応じ、上記二次室体の上部壁に、軸方向に沿う稜線を有し該稜線から両側壁部に夫々向けて傾斜する横断面山形の傾斜板を設けた構成としている。薪の燃焼とともに薪が移動する際、薪は傾斜板に振り分けられて、二次室体の側方へ導かれることになり、そのため、下方への移動がスムーズになり、この点でも、薪の燃焼を安定化することができる。
【００１３】
更に、必要に応じ、上記二次室体を、上記本体の前壁及び後壁間に架設した構成としている。二次室体を架設したので、強度が向上し、耐久性を向上させることができる。
【００１４】
更にまた、必要に応じ、上記二次室体の下部壁に流入口を形成した構成としている。流入口が下部壁に形成されるので、燃焼ガスが入り易くなり、それだけ燃焼効率が向上させられる。
【００１５】
また、必要に応じ、上記燃焼促進板に、炭素繊維を載置した構成としている。燃焼促進板のみならず、炭素繊維も加熱され、燃焼ガスに接することから、より一層燃焼効率が向上させられる。
【００１６】
更にまた、必要に応じ、上記二次室体の流入口に、上記燃焼促進板を含んで構成され上記炭素繊維を保持する容器状の炭素繊維保持部を設けた構成としている。炭素繊維は、炭素繊維保持部に入れられて保持されるので、燃焼ガスの流れによって容易に動きにくく、確実に保持されて燃焼ガスの燃焼に寄与することができる。
【発明の効果】
【００１７】
本発明によれば、二次室体は、筒状に形成され、その周壁のうち少なくとも下部壁及び両側部壁が一次燃焼室内に露出形成されているので、下部壁のみならず両側部壁が加熱されることから、従来に比較して、二次燃焼室での加熱効率を向上させることができ、燃焼効率を向上させることができる。また、二次室体の下部壁，両側部壁及び上部壁からなる周壁の全部を一次燃焼室内に露出形成した場合には、上部壁も一次燃焼室に露出して加熱されることから、より一層二次燃焼室での加熱効率を向上させることができ、燃焼効率を向上させることができる。
【図面の簡単な説明】
【００１８】
【図１】本発明の実施の形態に係る薪ストーブを示す斜視図である。
【図２】本発明の実施の形態に係る薪ストーブを示す断面斜視図である。
【図３】本発明の実施の形態に係る薪ストーブを示す別の断面斜視図である。
【図４】本発明の実施の形態に係る薪ストーブを使用状態で示す図３相当断面斜視図である。
【図５】本発明の実施の形態に係る薪ストーブを使用状態で示す側面断面図である。
【図６】本発明の実施の形態に係る薪ストーブの炭素繊維及び炭素繊維保持部を示す分解斜視図である。
【図７】本発明の別の実施の形態に係る薪ストーブを示す斜視図である。
【図８】本発明の別の実施の形態に係る薪ストーブを示す断面斜視図である。
【図９】本発明の別の実施の形態に係る薪ストーブを示す別の断面斜視図である。
【図１０】本発明の別の実施の形態に係る薪ストーブを示すまた別の断面斜視図である。
【図１１】本発明の別の実施の形態に係る薪ストーブを示す他の断面斜視図である。
【図１２】本発明の別の実施の形態に係る薪ストーブを使用状態で示す図９相当断面斜視図である。
【図１３】本発明の別の実施の形態に係る薪ストーブを使用状態で示す側面断面図である。
【図１４】従来の薪ストーブを示し、（ａ）は側面断面図、（ｂ）は平面断面図である。
【発明を実施するための形態】
【００１９】
以下、添付図面に基づいて本発明の実施の形態に係る薪ストーブについて詳細に説明する。
図１乃至図５に示すように、本発明の実施の形態に係る薪ストーブＳは、鉄などの金属板で形成され薪Ｗを燃焼させる一次燃焼室Ｒ１を構成する本体１と、鉄などの金属板で形成されて一次燃焼室Ｒ１内に設けられ一次燃焼室Ｒ１からの燃焼ガスを燃焼させる二次燃焼室Ｒ２を構成する二次室体１０とを備えている。
【００２０】
本体１は、底壁２，両側壁３，天壁４，前壁５及び後壁６を備えて中空状に形成され、内部を一次燃焼室Ｒ１としている。本体１は脚体７に支持されている。底壁２下部には、脚体７に支持された灰取出口部８が設けられている。
【００２１】
二次室体１０は、下部壁１２，両側部壁１３及び上部壁１４からなる筒状の周壁１１を有して形成されており、その軸線Ｐ（図５）が本体１の前後方向に沿うように、一次燃焼室Ｒ１の中央部において本体１の前壁５及び後壁６間に架設されている。二次室体１０を架設したので、強度が向上し、耐久性を向上させることができる。両側部壁１３及び上部壁１４は連続形成されて断面円弧状に形成されている。そして、二次室体１０の下部壁１２，両側部壁１３及び上部壁１４からなる周壁１１の全部が一次燃焼室Ｒ１内に露出形成されている。また、本体１の内面と二次室体１０の周壁１１の外面との間の空間は、薪Ｗを収容可能な大きさに形成されている。本体１の内面と二次室体１０の周壁１１の外面との最短距離Ｌを、Ｌ≧２００ｍｍ，望ましくはＬ≧３００ｍｍに設定している。また、４００ｍｍ≧Ｌが望ましい。これは、薪として、例えば、間伐材を用いる場合、一般に間伐材の直径は１５０ｍｍ程度のものが多いので、これらが、一次燃焼室Ｒに収容されて上側から下側へ移動し易いようにするためである。
【００２２】
二次室体１０の周壁１１の前端部開口１５は本体１の前壁５に開口している。本体１の前壁５には、前端部開口１５を開閉する開閉扉１６が設けられており、後述の炭素繊維を出し入れ可能にしている。また、二次燃焼室Ｒ２の周壁１１の後端部開口１７は本体１の後壁６に開口している。この本体１の後壁６には、二次室体１０の後端部開口１７に連通し、二次燃焼室Ｒ２からの排ガスを排気する煙突１８が設けられている。
【００２３】
また、本体１の前壁５であって、二次室体１０より上側には、一次燃焼室Ｒ１へ薪Ｗを投入する薪投入口２０が設けられている。本体１の前壁５には、薪投入口２０を開閉する薪投入扉２１が設けられている。更に、本体１の両側壁３であって、二次室体１０より下側には、夫々、外気を導入する空気口２２が設けられている。両側壁３の外側には、空気を取り入れる空気管２３が前後方向に沿って設けられており、空気口２２は、各側壁３毎に前後方向の所定間隔で２か所設けられ、夫々、対応する空気管２３に連通している。空気管２３の空気入口（図示せず）には、開閉シャッタ（図示せず）が設けられており、導入される空気量を調整可能にしている。
【００２４】
更に、本体１の前壁５であって、二次室体１０より下側には、一次燃焼室Ｒ１に連通し、薪Ｗを投入することができるとともに、火掻き棒により燃焼中の薪Ｗを撹拌可能にする調整開口２４が設けられている。本体１の前壁５には、調整開口２４を開閉する調整扉２５が設けられている。また、調整開口２４の下には、空気を取り入れることができる空気取入口２６が設けられている。
【００２５】
更にまた、二次室体１０の下部壁１２であって、前端部側には、一次燃焼室Ｒ１からの燃焼ガスが流入する矩形状の流入口３０が形成されている。この流入口３０には、一次燃焼室Ｒ１から二次燃焼室Ｒ２に流入する燃焼ガスが通過する多数の小孔を有した燃焼促進板３１が設けられている。この燃焼促進板３１には、図６に示すように、不織布状に形成された炭素繊維３２が載置される。炭素繊維３２は燃焼促進板３１の全面に付設される。二次室体１０の流入口３０には、燃焼促進板３１を含んで構成され炭素繊維３２を保持する容器状の炭素繊維保持部３３が設けられている。実施の形態においては、燃焼促進板３１は、下に凸の樋状に形成されており、前後の開放部が端面板３４によって塞がれ、この端面板３４と燃焼促進板３１とで、流入口３０の開口縁に対応した開口を有した容器状の炭素繊維保持部３３を形成している。この炭素繊維保持部３３は、端面板３４に設けた外向きの突出部３５を流入口３０の開口縁部に係止することにより、流入口３０に設けられている。
【００２６】
また、二次室体１０内において、流入口３０の後流側には、垂直面を有し燃焼ガスを整流する整流板４０が設けられている。更に、二次室体１０の上部壁１４に、軸方向に沿う稜線を有し稜線から両側部壁１３に夫々向けて傾斜する横断面山形の傾斜板４１が設けられている。
【００２７】
従って、この実施の形態に係る薪ストーブＳにより、薪Ｗを燃焼させるときは、薪投入口２０から薪Ｗを一次燃焼室Ｒ１に投入する。尚、二次室体１０の下部の薪Ｗは調整開口２４から入れても良い。この場合、図４及び図５に示すように、二次室体１０はその軸線Ｐが本体１の前後方向に沿うように一次燃焼室Ｒ１内に設けられ、本体１の内面と二次室体１０の周壁１１の外面との間の空間が薪Ｗを収容可能な大きさに形成されているので、二次室体１０の軸方向と薪Ｗの長手方向とが平行になるように入れると、薪Ｗは、二次室体１０の下部，両側部及び上部に、一方向に整列させられて積み重ねられ、満杯に収納される。薪Ｗは二次室体１０の下部のみならず、二次室体１０の両側部及び上部にも収容されるので、それだけ、薪Ｗを余分に収納しておくことができ、薪Ｗの収容率が極めて良くなる。
【００２８】
この状態で、調整開口２４から、薪Ｗに着火すると、本体１の空気口２２が二次室体１０より下側に設けられているので、薪Ｗは主に二次室体１０の下部で燃焼させられる。燃焼が進むと、二次室体１０の両側部にある薪Ｗ及び上部にある薪Ｗが徐々に両側部の空間を通過して、下がっていく。そして、薪Ｗが二次室体１０の両側部にまで下がったころに薪Ｗを補給する。この場合、従来のストーブでは、新しい薪Ｗを投入すると新しい薪Ｗは燃焼中の薪Ｗの上に載せられることから、一時的に、燃焼が収まるようになり、燃焼が不安定になるが、本発明の構成では、両側にある薪Ｗよりも上の方に新しい薪Ｗが入れられることになることから、二次室体１０より下で燃えている薪Ｗの燃焼に影響を与えることがなく、燃焼を安定させて行わせることができるようになる。更に、一次燃焼室Ｒ１での燃焼ガスは、二次室体１０の上部にも至ることから、ここにある薪Ｗが加温させられることになり、これが下降して燃焼するようになると、加温された分燃焼され易くなり、この点でも燃焼効率が向上させられる。
【００２９】
また、この場合、二次室体１０の軸方向と薪Ｗの長手方向とが平行になるように薪Ｗを一方向に整列させて積み重ねて収納できるので、薪Ｗの燃焼とともに薪Ｗを下方に移動させ易くなり、それだけ、薪Ｗの燃焼を安定化することができる。更に、二次室体１０の上部壁１４に、稜線から両側部壁１３に夫々向けて傾斜する横断面山形の傾斜板４１が設けられているので、薪Ｗの燃焼とともに薪Ｗが移動する際、薪Ｗは傾斜板４１に振り分けられて、二次室体１０の側方へ導かれることになり、そのため、下方への移動がスムーズになり、この点でも、薪Ｗの燃焼を安定化することができる。
【００３０】
そして、燃焼の拡大に伴って、二次室体１０が加熱されて二次燃焼室Ｒ２内が高温になり、燃焼ガスが流入口３０を通って二次燃焼室Ｒ２に至って更に燃焼が進み、煙突１８から排気されていく。二次室体１０は、筒状に形成され、下部壁１２，両側部壁１３及び上部壁１４からなる周壁１１の全部が一次燃焼室Ｒ１内に露出形成されているので、二次燃焼室Ｒ２での加熱効率が向上させられ、従来に比較して、二次燃焼室Ｒ２での加熱効率が向上させられ、燃焼効率が向上させられる。また、この場合、二次室体１０の下部壁１２に流入口３０を形成したので、燃焼ガスが入り易くなり、それだけ燃焼効率が向上させられる。
【００３１】
更に、燃焼促進板３１が赤熱し、これのみならず、炭素繊維３２も加熱され、燃焼ガスがこれらに接触することから、燃焼が促進され、より一層燃焼効率が向上させられる。この場合、炭素繊維３２は、炭素繊維保持部３３に入れられて保持されるので、燃焼ガスの流れによって容易に動きにくく、確実に保持されて燃焼ガスの燃焼に寄与することができる。
【００３２】
図７乃至図１３には、別の実施の形態に係る薪ストーブＳを示している。これは、鉄などの金属板で形成され薪Ｗを燃焼させる一次燃焼室Ｒ１を構成する本体１と、鉄などの金属板で形成されて一次燃焼室Ｒ１内に設けられ一次燃焼室Ｒ１からの燃焼ガスを燃焼させる二次燃焼室Ｒ２を構成する二次室体１０とを備えている。
【００３３】
本体１は、底壁２，両側壁３，天壁４，前壁５及び後壁６を備えて中空状に形成され、内部を一次燃焼室Ｒ１としている。本体１は脚体７に支持されている。底壁２下部には、脚体７に支持された灰取出口部８が設けられている。
【００３４】
二次室体１０は、下部壁１２，両側部壁１３及び上部壁１４からなる筒状の周壁１１を有して形成されており、その軸線Ｐ（図１３）が本体１の前後方向に沿うように、一次燃焼室Ｒ１の上部に設けられている。上部壁１４は本体１の天壁４の一部を用いて形成されている。二次室体１０の周壁１１の前端部１９は閉塞されている。また、二次燃焼室Ｒ２の周壁１１の後端部開口１７は本体１の天壁４に開口している。この本体１の天壁４には、二次室体１０の後端部開口１７に連通し、二次燃焼室Ｒ２からの排ガスを排気する煙突１８が設けられている。
【００３５】
また、本体１の前壁５には、一次燃焼室Ｒ１へ薪Ｗを投入する薪投入口２０が設けられている。本体１の前壁５には、薪投入口２０を開閉する薪投入扉２１が設けられている。更に、本体１の両側壁３であって、二次室体１０より下側には、夫々、外気を導入する空気口２２が設けられている。図１０に示すように、両側壁３には、前側下部から空気を取り入れる空気管２３が設けられており、空気口２２は、各側壁３毎に前後方向の所定間隔で２か所設けられ、夫々、対応する空気管２３に連通している。また、図１１に示すように、後壁６及び両側壁３の上側に、後壁６の下側から空気を取り入れ、両側壁３の前側に空気を排気するダクト５０が設けられている。５０ａは空気取入口、５０ｂは空気吹出口である。このダクト５０により、周囲の空気の加温効率が向上させられる。
【００３６】
また、二次室体１０の下部壁１２であって、前端部側には、一次燃焼室Ｒ１からの燃焼ガスが流入する矩形状の流入口３０が形成されている。この流入口３０には、一次燃焼室Ｒ１から二次燃焼室Ｒ２に流入する燃焼ガスが通過する多数の小孔を有した燃焼促進板３１が設けられている。この燃焼促進板３１には、不織布状に形成された炭素繊維３２が載置される。炭素繊維３２は燃焼促進板３１の全面に付設される。二次室体１０の流入口３０には、燃焼促進板３１を含んで構成され炭素繊維３２を保持する容器状の炭素繊維保持部３３が設けられている。実施の形態においては、燃焼促進板３１の周囲には、枠体５１が立設されており、この枠体５１と燃焼促進板３１とで、盆状の容器状の炭素繊維保持部３３を形成している。
【００３７】
従って、この実施の形態に係る薪ストーブＳにより、薪Ｗを燃焼させるときは、薪投入口２０から薪Ｗを一次燃焼室Ｒ１に投入する。この状態で、薪Ｗに着火すると、本体１の空気口２２が二次室体１０より下側に設けられているので、薪Ｗは二次室体１０の下部で燃焼させられる。そして、燃焼の拡大に伴って、二次室体１０が加熱されて二次燃焼室Ｒ２内が高温になり、燃焼ガスが流入口３０を通って二次燃焼室Ｒ２に至って更に燃焼が進み、煙突１８から排気されていく。二次室体１０は、筒状に形成され、下部壁１２及び両側部壁１３が一次燃焼室Ｒ１内に露出形成されているので、二次燃焼室Ｒ２での加熱効率が向上させられ、従来に比較して、二次燃焼室Ｒ２での加熱効率が向上させられ、燃焼効率が向上させられる。また、この場合、二次室体１０の下部壁１２に流入口３０を形成したので、燃焼ガスが入り易くなり、それだけ燃焼効率が向上させられる。
【００３８】
更に、燃焼促進板３１が赤熱し、これのみならず、炭素繊維３２も加熱され、燃焼ガスがこれらに接触することから、燃焼が促進され、より一層燃焼効率が向上させられる。この場合、炭素繊維３２は、炭素繊維保持部３３に入れられて保持されるので、燃焼ガスの流れによって容易に動きにくく、確実に保持されて燃焼ガスの燃焼に寄与することができる。
【００３９】
尚、上記実施の形態において、一次燃焼室Ｒ１や二次燃焼室Ｒ２の大きさは、上記に限定されるものではなく、適宜変更して差し支えない。
【符号の説明】
【００４０】
Ｓ  薪ストーブ
Ｗ  薪
Ｒ１  一次燃焼室
Ｒ２  二次燃焼室
１  本体
２  底壁
３  側壁
４  天壁
５  前壁
６  後壁
７  脚体
８  灰取出口部
１０  二次室体
１１  周壁
１２  下部壁
１３  側部壁
１４  上部壁
１５  前端部開口
１６  開閉扉
１７  後端部開口
１８  煙突
２０  薪投入口
２１  薪投入扉
２２  空気口
２３  空気管
２４  調整開口
２５  調整扉
２６  空気取入口
３０  流入口
３１  燃焼促進板
３２  炭素繊維
３３  炭素繊維保持部
４０  整流板
４１  傾斜板
５０  ダクト
【図１】
2014238246.tif 000003
【図２】
2014238246.tif 000004
【図３】
2014238246.tif 000005
【図４】
2014238246.tif 000006
【図５】
2014238246.tif 000007
【図６】
2014238246.tif 000008
【図７】
2014238246.tif 000009
【図８】
2014238246.tif 000010
【図９】
2014238246.tif 000011
【図１０】
2014238246.tif 000012
【図１１】
2014238246.tif 000013
【図１２】
2014238246.tif 000014
【図１３】
2014238246.tif 000015
【図１４】
2014238246.tif 000016